(57)【要約】      （修正有）【課題】支持基枠に対して支持受を安定的に組付けられ、しかも、着脱に際してその操作を円滑に行うことのできるケーブル受金具を提供する。【解決手段】支持基板３の相対する両端にＬ字屈曲状にして隧道などの壁面に止着する止着部片４を設けた支持基枠１と、前記支持基板３に基端部において着脱自在に組付けてケーブルｃを受支させる支持受２とで構成する。前記支持基板３の背面側に上端部を該支持基板３に止着して下端側を自由端部９ａとしたばね片９を装置し、該ばね片９の前記自由端部９ａで上部側が閉塞される掛止孔８と前記自由端部が重なり合う通し孔を前記支持基板３に並設する。そして、前記掛止孔８に前記ばね片９の付勢に抗して挿通して、該ばね片９より下方において頸部を前記掛止孔８の下縁に掛止する、鉤状の掛止部片を前記支持受２の基端に設ける。【選択図】図１
2007318829.tif 000002
【特許請求の範囲】
【請求項１】
支持基板の相対する両端にＬ字屈曲状にして隧道などの壁面に止着する止着部片を設けた支持基枠と、前記支持基板に基端部において着脱自在に組付けてケーブルを受支させる支持受とで成るケーブル受金具において、前記支持基板の背面側に上端部を該支持基板に止着して下端側を自由端部としたばね片を装置し、該ばね片の前記自由端部で上部側が閉塞される掛止孔と前記自由端部が重なり合う通し孔を前記支持基板に並設し、前記掛止孔に前記ばね片の付勢に抗して挿通して、該ばね片より下方において頸部を前記掛止孔の下縁に掛止する、鉤状の掛止部片を前記支持受の基端に設けた、ケーブル受金具。
【請求項２】
支持基板に上端側を自由端とした規制部片を設け、該規制部片と通し孔との間にばね片の自由端部を介在させた、請求項１記載のケーブル受金具。
【発明の詳細な説明】
【技術分野】
【０００１】
本発明は、隧道などの側壁（面）に、電力や通信用のケーブルを懸架受支させるために用いるケーブル受金具に関するものである。
【背景技術】
【０００２】
支持基板の上下両端にＬ字屈曲状にして隧道などの側壁に固着する止着部片を設けて支持基枠を構成し、該支持基枠の前記支持基板にスリットを設け、このスリットに挿入して９０°回転させて、その縁部に係止するようにして前記支持基板に組付ける支持受にケーブルを懸架するようにした構造のものがある（例えば、特許文献１）。
【０００３】
【特許文献１】特開２００４−１４０９８５号公報
【発明の開示】
【発明が解決しようとする課題】
【０００４】
前記従来例は、支持基枠（支持基板）に対し支持受を回転させて組付ける構成を採るので、該支持受にケーブルなどの荷重が不均衡に負荷されると容易に回転してケーブル受支状態が不安定になる虞があり、このため、前記の回転を防ぐために該支持受を近接して配するなどの特別な工夫を必要とし、結局の処、必要に応じた、支持基枠に対する支持受の着脱に煩雑な操作を必要とする。
【０００５】
本発明は、斯様な従来例の欠点に着目し、支持基枠に対して支持受を安定的に組付けられ、しかも、着脱に際してもその操作を円滑に行うことのできるケーブル受金具を提供することを目的として創案したものである。
【課題を解決するための手段】
【０００６】
支持基板の相対する両端にＬ字屈曲状にして隧道などの壁面に止着する止着部片を設けた支持基枠と、前記支持基板に基端部において着脱自在に組付けてケーブルを受支させる支持受とで成るケーブル受金具において、前記支持基板の背面側に上端部を該支持基板に止着して下端側を自由端部としたばね片を装置し、該ばね片の前記自由端部で上部側が閉塞される掛止孔と前記自由端部が重なり合う通し孔を前記支持基板に並設し、前記掛止孔に前記ばね片の付勢に抗して挿通して、該ばね片より下方において頸部を前記掛止孔の下縁に掛止する、鉤状の掛止部片を前記支持受の基端に設けたことを基本的手段とし、支持基板に上端側を自由端とした規制部片を設け、該規制部片と通し孔との間にばね片の自由端部を介在させたことを付加することにより、ばね片を通し孔を通じて工具によって押圧したとき、工具の先端は規制部片の存在によって隧道などの壁面との接触を規制され、接触による壁面の損傷を防ぐことができ、従って、支持基枠（支持基板）に対する支持受の着脱操作を支障を生じることなく行うことができる。
【実施例】
【０００７】
図面は本発明に係るケーブル受金具の一実施例を示し、図１は使用状態を示す一部欠截側面図、図２は図１の一部拡大背面図、図３は図２のａ−ａ線断面図、図４は支持基枠の一部拡大正面図、図５は支持受の平面図である。
【０００８】
実施例のケーブル受金具は、支持基枠１と該支持基枠１に適宜組付けて用いる支持受２とで構成する。
【０００９】
支持基枠１は、上下方向に沿う両端を背面側方向に折り曲げて補強部片３ａを設けた基板３の相対する両端に、基板３の背面側方向にＬ字屈曲状にした止着部片４，４を設けて構成したもので、前記基板３には前記支持受２の組付け部５を縦方向に並設し、該組付け部５の適宜のものに前記支持受２を組み付けてケーブルｃをこれに懸架、受支させるようにしてある。
【００１０】
組付け部５は、基板３の縦方向に沿う中央に設けた、ほぼＴ字状の係止孔６と、該係止孔６の直下に基板３の一部を背面方向に切り起こして設けた、上端側を自由端とした傾斜状の規制部片７および該規制部片７と重なり合う通し孔１５と、該通し孔１５の両側にして前記基板１に設けた縦長の受止孔８，８並びにばね９（ステンレス板で構成してある）とで構成し、ばね９は、ほぼコの字状の平板体で成り、しかも、左右の上端部を前記基板３の背面に熔接、止着して下端側の自由端部９ａの中央部を前記規制部片７と前記通し孔１５（基板３）との間に嵌挿し、しかも、左右両側部で前記受支孔８の上部側を閉塞したものである。
【００１１】
支持受２は、支持基枠１と同様に金属板を屈曲して形成したもので、先後に長い長方形状の受部片１０ａの両側に側部片１０ｂ，１０ｂを相対設して構成した主体枠１０の前記受部片１０ａの先端に起立状にして設けた、ケーブルｃ用の落下防止片１１を具備する一方、該受部片１０ａの後端すなわち基端には先部１２ａと頸部１２ｂで成る、ほぼＴ字状の係止部片１２を突設し、この係止部片１２の基端縁（前記頸部１２ｂ側の）と基端縁を同面上に位置させた掛止部片１３を前記側部片１０ｂの後端すなわち基端に突設して構成したもので、掛止部片１３は先部１３ａと掛止部１３ｂとで成る鉤状体で成るものである。
【００１２】
なお、前記係止部片１２は、前記の通り、先部１２ａと頸部１２ｂとで成るＴ字状を成すのもであるが、その先部１２ａは、支持基枠１の基板３側に設けた係止孔６の、上部側の幅広部６ａより小径で、下部側の幅狭部６ｂより大径と成し、頸部１２ｂを前記係止孔６の幅狭部６ｂより小径と成し、従って、係止部片１２は、係止孔６に幅広部６ａにおいて挿通させ、係止孔６に沿って降下させて頸部１２ｂを幅狭部６ｂに係合させることにより、先部１２ａの両端が幅狭部６ｂの両縁に係止して支持受２の支持基枠１との組付け状態を保持するのである。また、この係止部片１２より下方にして支持受２の基端に設けた前記掛止部片１３は、縦長の前記先部１３ａを、縦長の前記掛止孔８の縦径より縦幅を小さく（短く）し、従って、前記掛止孔８に挿通させて降下させると、前記頸部１２ｂが掛止孔８の下縁に掛止するのである。
【００１３】
しかして、例えば、隧道などの壁面ｗに突設した、上下一対のアンカーボルトｂに、該アンカーボルトｂを前記止着部片４に設けた透孔１４において貫通させて組合わせ、透孔１４より突出する該アンカーボルトｂの先端に固定ナットｎを螺合、締付けることにより支持基枠１は、前記アンカーボルトｂを突設した、隧道壁面ｗの適所に、基板３と壁面ｗ間において間隙ａを存して固定される。
【００１４】
この支持基枠１の基板３に上下方向にして並設した前記組付け部５，…の全部又は適宜の一部のものに、支持受２を組付けることにより実施例支持金具の使用状態を得ることができるのである。
【００１５】
そして、支持受２を基板３（支持基枠１）に組付ける際、支持受２の係止部片１２と掛止部片１３を基板３側の係止孔６と掛止孔８に一致させて押圧すると、掛止部片１３の先部１３ａは、基板３の背面側において掛止孔８の上部を閉じていたばね片９の自由端部９ａを、ばね付勢に抗して押圧して基板３前面側から背面側へ後退させ、この後退と同時に係止部片１２の先部１２ａも係止孔６の上側の大径部６ａを通じて基板３前面側から後退し、係止部片１２と係止部片１３の基端と同面上に存する、支持受２の主体枠１０の基端が基板３の前面に接触位置に至った時点で、支持受２を押下させると、係止部片１２の頸部１２ｂは係止孔６の幅狭部６ｂに係合する一方、掛止部片１３はばね片９の自由端部９ａより下方に降下して掛止孔８の下部に降下係合し、ばね片自由端部９ａは掛止部片１３の頸部１３ｂの直上位置にばね作用により移動し、掛止部片１３の掛止孔８上方への移動を規制する（妨害する）のである。
【００１６】
この組付け状態においてケーブルｃを支持受２（主体枠１０）上に懸架、受支させると、係止片１２の係止孔６、掛止片１３の掛止孔８それぞれに対する組付け関係によって支持受２に荷重が負荷しても支持受２は支持基枠１に対する組付け状態を確実に保たれ、ケーブルｃの懸架状態を維持できる。
【００１７】
そして規制部片７の前方側にして基板３に設けた通し孔１５を通じて前規制部片７と基板３との間に存するばね片９の自由端部９ａを押圧して後退させると、自由端部９ａは弾性変形して掛止部片１３上から後退し（このときの後退は、基板３と壁面ｗとが成す間隙ａ幅内において、かつ、規制部片７の存在によって制約を受ける）、この後退操作後、当該支持受２を上昇させると、ばね片９による規制が解除されたため、係止部片１２は係止孔６に、掛止部片１３は掛止孔８にそれぞれ沿って上昇し、係止部片１２には係止孔６の幅広部６ａ位置に、掛止部片１３の先部１３の先部１３ａは掛止孔８と一致する位置にそれぞれ至り、この状態で支持受２を前方へ引くことにより、支持受２の支持基枠１からの取り外しができるのである。
【図面の簡単な説明】
【００１８】
【図１】使用状態を示す一部欠截側面図。
【図２】図１の一部拡大背面図。
【図３】図２のａ−ａ線断面図。
【図４】支持基枠の一部拡大正面図。
【図５】支持受の平面図。
【符号の説明】
【００１９】
１      支持基枠
２      支持受
３      支持基板
４      止着部片
８      掛止孔
９      ばね片
１３    掛止部片
【図１】
2007318829.tif 000003
【図２】
2007318829.tif 000004
【図３】
2007318829.tif 000005
【図４】
2007318829.tif 000006
【図５】
2007318829.tif 000007